(57)【特許請求の範囲】
【請求項１】
少なくとも、水平方向に配筋した複数の主筋と、該主筋を囲うように主筋と直交させて配筋した複数のせん断補強筋と、からなる鉄筋組立体を骨格の一部として構築される鉄筋または鉄骨鉄筋コンクリート造梁の開口部を補強するための開口部補強筋の配筋方法であって、
まず、前記開口部の両側位置に、前記主筋を囲うように主筋と直交させて複数の開口際せん断補強筋を配筋し、
次に、基部と二つの足部とを有し、全体形状が概略コの字形状をしたコの字型補強筋を用い、前記基部が前記主筋と直交し、かつ二つの足部の間で主筋を拘束するように、該足部を前記鉄筋組立体の上側および下側から前記開口際せん断補強筋より内側に斜めに挿入して、上下各２つのコの字型補強筋が前記開口部を囲み、かつ、上下のコの字型補強筋の足部が開口部の左右側方で互いに交差するように配筋した後、
全体形状が概略リング形状をした二つのリング型補強筋を、それぞれ前記開口部の両端付近において、該リング部分で開口部を囲うように、前記コの字型補強筋の足部の内側に配筋し、その後、前記リング型補強筋を該コの字型補強筋の足部に結束することを特徴とする、梁の開口部補強筋の配筋方法。
【請求項２】
少なくとも、水平方向に配筋した複数の主筋と、該主筋を囲うように主筋と直交させて配筋した複数のせん断補強筋と、からなる鉄筋組立体を骨格の一部として構築され、かつ開口部を有する鉄筋または鉄骨鉄筋コンクリート造梁であって、
前記開口部の両側位置に、前記主筋を囲うように主筋と直交させて複数の開口際せん断補強筋を配筋し、
基部と二つの足部とを有し、全体形状が概略コの字形状をしたコの字型補強筋を用い、前記基部が前記主筋と直交し、かつ二つの足部の間で主筋を拘束するように、該足部を前記鉄筋組立体の上側および下側から前記開口際せん断補強筋より内側に斜めに挿入して、上下各２つのコの字型補強筋が前記開口部を囲み、かつ、上下のコの字型補強筋の足部が開口部の左右側方で互いに交差するように配筋し、
全体形状が概略リング形状をした二つのリング型補強筋を、それぞれ前記開口部の両端付近において、該リング部分で開口部を囲うように、前記コの字型補強筋の足部の内側に配筋し、前記リング型補強筋を該コの字型補強筋の足部に結束することにより開口部が補強されてなる、
開口部を有する鉄筋または鉄骨鉄筋コンクリート造梁。
【請求項３】
請求項２において、前記コの字型補強筋が前記足部の両端に抜け止め作用部を備えたものであることを特徴とする、開口部を有する鉄筋または鉄骨鉄筋コンクリート造梁。
【請求項４】
請求項３において、前記コの字型補強筋の抜け止め作用部がフック形状であることを特徴とする、開口部を有する鉄筋または鉄骨鉄筋コンクリート造梁。
【請求項５】
少なくとも、水平方向に配筋した複数の主筋と、該主筋を囲うように主筋と直交させて配筋した複数のせん断補強筋とからなる鉄筋組立体を骨格の一部として構築される鉄筋または鉄骨鉄筋コンクリート造梁における開口部の補強方法であって、
まず、前記開口部の両側位置に、前記主筋を囲うように主筋と直交させて複数の開口際せん断補強筋を配筋し、
次に、基部と二つの足部とを有し、全体形状が概略コの字形状をしたコの字型補強筋を用い、前記基部が前記主筋と直交し、かつ二つの足部の間で主筋を拘束するように、該足部を前記鉄筋組立体の上側および下側から前記開口際せん断補強筋より内側に斜めに挿入して、上下各２つのコの字型補強筋が前記開口部を囲み、かつ、上下のコの字型補強筋の足部が開口部の左右側方で互いに交差するように配筋した後、
全体形状が概略リング形状をした二つのリング型補強筋を、それぞれ前記開口部の両端付近において、該リング部分で開口部を囲うように、前記コの字型補強筋の足部の内側に配筋し、その後、前記リング型補強筋を該コの字型補強筋の足部に結束することを特徴とする、
梁の開口部の補強方法。
【請求項６】
請求項５において、前記コの字型補強筋が前記足部の両端に抜け止め作用部を備えたものであることを特徴とする、梁の開口部の補強方法。
【請求項７】
請求項６において、前記コの字型補強筋の抜け止め作用部がフック形状であることを特徴とする、梁の開口部の補強方法。
【請求項８】
請求項２において、前記コの字型補強筋の前記基部は、該コの字型補強筋によって拘束される二本以上の主筋の間隔に応じた長さであり、前記鉄筋組立体の上部または下部において、一つのコの字型補強筋の基部が、該鉄筋組立体において水平方向に並行して配設された主筋全体の幅よりも短く、他の一つのコの字型補強筋の基部も、該鉄筋組立体において水平方向に並行して配設された主筋全体の幅よりも短く、該基部同士が一部をオーバーラップして設けられていることを特徴とする、開口部を有する鉄筋または鉄骨鉄筋コンクリート造梁。
【発明の詳細な説明】
【０００１】
【発明の属する技術分野】
本発明は、鉄筋コンクリート造建物または鉄骨鉄筋コンクリート造建物等において、梁の開口部を補強するための補強筋の配筋方法および補強方法に関する。
【０００２】
【従来の技術】
鉄筋コンクリート造建物または鉄骨鉄筋コンクリート造建物において、設備用ダクト等のために梁に開口部を設ける場合、梁端のヒンジ領域に開口部を設けると当該領域の耐力が低下し、せん断破壊を生じやすくなるため、開口部は当該ヒンジ領域以外に設けることが必要とされていた。具体的には、図１１に示すように、柱５３から開口部６１までの距離（図中、Ｌ２で示す）を梁せいの長さ（図中、Ｌ３で示す）以上確保することが求められていた。しかし、このような場合、設備配管を隠すために開口位置から梁５１の端部までを「下がり天井」とすることになり、設計上の自由度が大幅に制約される（図１１では、天井仕上げ面５７を仮想線で示す）。
【０００３】
一方、梁の開口部の補強手段として、開口部周囲を囲むように配備するリング形状の補強筋（以下、「リング型補強筋」と記すことがある）が実用化されている。図７は、リング型補強筋３１の一例を示す平面図である。このリング型補強筋３１は、ほぼ八角形の外周筋３３の内側にほぼ四角形の内周筋３５を配置して、外周筋３３と内周筋３５とを部分的に連結した形状をしている。このリング型補強筋３１は、内周筋３５の中に梁の開口部が位置するように鉄筋組立体中に配筋して使用される。
【０００４】
上記リング型補強筋３１は、開口部に働くせん断力に対する耐力を向上させるものであるが、開口部周囲の主筋の座屈に対する補強効果はない。このため、特開平８−１８４１２７号公報や、「社団法人日本建築学会  ２０００年度大会（東北）学術講演梗概集  Ｃ−２  構造ＩＶ」第５２３〜５２６頁、には、リング型補強筋と全体形状がコの字型をした補強筋（以下、「コの字型補強筋」と記すことがある）とを組み合わせて開口部周囲に配備する補強方法が提案されている。図８に、コの字型補強筋１１の一例の全体形状を示す。このコの字型補強筋１１は、基部１３と二つの足部１５を有し、鉄筋組立体の上部および下部から、開口部を囲うように斜めに足部１５を鉄筋組立体中に挿入して用いられるものである。
【０００５】
しかし、十分なせん断耐力を確保するため上記コの字型補強筋１１の足部１５を一定の長さ以上に設定すると、リング型補強筋３１と組み合わせて使用する場合に施工面での煩雑さが避けられないという問題があった。その理由を鉄筋組立体４１の断面構造を模式的に示す図９および図１０により説明する。
【０００６】
通常、開口部補強筋の配筋手順としては、まず開口部の両側位置に開口際せん断補強筋２５を配筋し、次にリング型補強筋３１を直接開口際せん断補強筋２５に内側から結束して取り付け、配筋する。しかし、リング型補強筋３１を取り付けた後に、主筋２１の座屈防止と開口補強を兼ねたコの字型補強筋１１を取り付けようとすると、コの字型補強筋１１の足部１５にリング型補強筋３１が当り、挿入の障害になる。このため、図９に示すように、事前にコの字型補強筋１１の足部１５全体を急角度に折り曲げておかなければ配筋することができなくなるが、これでは鉄筋組立体４１への挿入が非常に困難になる。また、このような方法でコの字型補強筋１１を挿入できたとしても、図１０に示すように、基部１３が跨ぐ主筋２１をずらして同一方向に複数のコの字型補強筋１１を配筋する場合には、急角度に折り曲げた足部１５が他のコの字型補強筋１１の足部１５に接触してしまうため、挿入が極めて困難になる。
【０００７】
【発明が解決しようとする課題】
上記したように、リング型補強筋とコの字型補強筋とを組み合わせて開口部の補強を行うためには、配筋作業の煩雑さという問題を解決しなければならなかった。従って、本発明は、リング型補強筋とコの字型補強筋を組み合わせて開口部の補強を行う場合に、容易に配筋できる方法を提供することを課題とする。
【０００８】
【課題を解決するための手段】
上記課題を解決するため、請求項１に記載の梁の開口部補強筋の配筋方法の発明は、少なくとも、水平方向に配筋した複数の主筋と、該主筋を囲うように主筋と直交させて配筋した複数のせん断補強筋と、からなる鉄筋組立体を骨格の一部として構築される鉄筋または鉄骨鉄筋コンクリート造梁の開口部を補強するための開口部補強筋の配筋方法であって、まず、前記開口部の両側位置に、前記主筋を囲うように主筋と直交させて複数の開口際せん断補強筋を配筋し、次に、基部と二つの足部とを有し、全体形状が概略コの字形状をしたコの字型補強筋を用い、前記基部が前記主筋と直交し、かつ二つの足部の間で主筋を拘束するように、該足部を前記鉄筋組立体の上側および下側から前記開口際せん断補強筋より内側に斜めに挿入して、上下各２つのコの字型補強筋が前記開口部を囲み、かつ、上下のコの字型補強筋の足部が開口部の左右側方で互いに交差するように配筋した後、全体形状が概略リング形状をした二つのリング型補強筋を、それぞれ前記開口部の両端付近において、該リング部分で開口部を囲うように、前記コの字型補強筋の足部の内側に配筋し、その後、前記リング型補強筋を該コの字型補強筋の足部に結束することを特徴とする。
【０００９】
この発明によれば、開口際せん断補強筋の内側にコの字型補強筋の足部を挿入して配筋した後に、リング型補強筋を、コの字型補強筋よりさらに内側に配筋することにより、リング型補強筋がコの字型補強筋の足部の挿入を妨げることがなく、またコの字型補強筋の足部同士が接触することもないため、配筋が容易になる。また、この配筋方法で補強された梁の開口部は、耐力、靭性能ともに十分なものとなる。
【００１０】
請求項２に記載の開口部を有する鉄筋または鉄骨鉄筋コンクリート造梁の発明は、少なくとも、水平方向に配筋した複数の主筋と、該主筋を囲うように主筋と直交させて配筋した複数のせん断補強筋と、からなる鉄筋組立体を骨格の一部として構築され、かつ開口部を有する鉄筋または鉄骨鉄筋コンクリート造梁であって、前記開口部の両側位置に、前記主筋を囲うように主筋と直交させて複数の開口際せん断補強筋を配筋し、基部と二つの足部とを有し、全体形状が概略コの字形状をしたコの字型補強筋を用い、前記基部が前記主筋と直交し、かつ二つの足部の間で主筋を拘束するように、該足部を前記鉄筋組立体の上側および下側から前記開口際せん断補強筋より内側に斜めに挿入して、上下各２つのコの字型補強筋が前記開口部を囲み、かつ、上下のコの字型補強筋の足部が開口部の左右側方で互いに交差するように配筋し、全体形状が概略リング形状をした二つのリング型補強筋を、それぞれ前記開口部の両端付近において、該リング部分で開口部を囲うように、前記コの字型補強筋の足部の内側に配筋し、前記リング型補強筋を該コの字型補強筋の足部に結束することにより開口部が補強されてなることを特徴とする。
【００１１】
この発明によれば、請求項１と同様の理由により、梁の施工における開口部の補強を容易に行うことができるため、工期の短縮と施工コストの低減が可能になる。
また、この梁は、コの字型補強筋とリング型補強筋とを組み合わせて用いることにより、構造性能および建物計画の各側面において、以下の特長を有するものである。
まず、構造性能面では、開口周囲がコの字型補強筋およびリング型補強筋により補強されることにより、開口部のせん断耐力が向上するため、開口部に靭性能、エネルギー吸収能を期待した設計ができる。また、コの字型補強筋を配筋することで、開口部周囲のコンクリートを拘束する結果、後記するように圧縮力によるコンクリートのはらみ出しを防止できると共に、曲げとせん断力によるコンクリートの劣化を小さくでき、梁の脆性破壊を防止できる。さらに、梁端部、曲げ降伏域での梁主筋の座屈の防止も図られ、梁の靭性能を確保できる。従って、本発明の梁の開口部は、耐力面および靭性能面において無開口部分と同等以上の性能を有する。
【００１２】
次に、建物計画面では、開口部の補強に使用するコの字型補強筋は、上記したように主筋の座屈や開口部周囲のコンクリートのはらみ出しの防止にも有効な機能を持つため、梁の靭性能を要求される柱間際にも開口を設けることが可能になる。従って、設備配管を隠すための室内の下がり天井部分の面積を小さくでき、豊かな居住空間が得られるとともに、住宅等の建築物の質を向上させることができる。また、梁の開口を設ける位置の制限を大幅に緩和できるため、建築物の設計、施工にあたり、設備配管計画の自由度を広げることが可能になる。
【００１３】
請求項３に記載の開口部を有する鉄筋または鉄骨鉄筋コンクリート造梁の発明は、請求項２において、前記コの字型補強筋が前記足部の両端に抜け止め作用部を備えたものであることを特徴とする。この特徴によれば、前記コの字型補強筋が前記足部の両端に抜け止め作用部を備えたものであることにより、コンクリート内での十分な定着性を確保し、開口部のせん断強度を一層高め、補強効果を大ならしめることができる。
【００１４】
請求項４に記載の開口部を有する鉄筋または鉄骨鉄筋コンクリート造梁の発明は、請求項３において、前記コの字型補強筋の抜け止め作用部がフック形状であることを特徴とする。この特徴によれば、コの字型補強筋の抜け止め作用部をフック形状としたため、配筋の際には鉄筋組立体中に挿入しやすく、梁の施工後はコンクリート内で十分なアンカー作用を持つ。また、フック形状の成型は、端部の鉄筋を折り曲げるだけで加工でき、製造コストも低いため、施工コストも低く抑えることができる。
【００１５】
請求項５に記載の梁の開口部の補強方法の発明は、少なくとも、水平方向に配筋した複数の主筋と、該主筋を囲うように主筋と直交させて配筋した複数のせん断補強筋とからなる鉄筋組立体を骨格の一部として構築される鉄筋または鉄骨鉄筋コンクリート造梁における開口部の補強方法であって、まず、前記開口部の両側位置に、前記主筋を囲うように主筋と直交させて複数の開口際せん断補強筋を配筋し、次に、基部と二つの足部とを有し、全体形状が概略コの字形状をしたコの字型補強筋を用い、前記基部が前記主筋と直交し、かつ二つの足部の間で主筋を拘束するように、該足部を前記鉄筋組立体の上側および下側から前記開口際せん断補強筋より内側に斜めに挿入して、上下各２つのコの字型補強筋が前記開口部を囲み、かつ、上下のコの字型補強筋の足部が開口部の左右側方で互いに交差するように配筋した後、全体形状が概略リング形状をした二つのリング型補強筋を、それぞれ前記開口部の両端付近において、該リング部分で開口部を囲うように、前記コの字型補強筋の足部の内側に配筋し、その後、前記リング型補強筋を該コの字型補強筋の足部に結束することを特徴とする。
【００１６】
この発明によれば、鉄筋または鉄骨鉄筋コンクリート造梁における開口部の補強において開口部補強筋の配筋が容易となり、上記した請求項２と同様の効果が得られる。特に、本発明の補強方法によれば、梁の柱際（ヒンジ領域）にも開口部を設けることが可能になるという長所がある。これは、以下の理由による。  前記したように、柱から梁せい以上の間隔をあけて開口部を設ける場合（図１１を参照）には、主に開口によるせん断耐力の低下が問題となるので、その対策として、例えばリング型補強筋を利用するなどして開口部の補強を行うことができる。これに対して、梁の柱際に開口部を設けた場合には、▲１▼開口部によるせん断耐力の低下に加え、▲２▼開口部の上下部分での主筋の座屈、▲３▼コンクリートのはらみ出し（大きな曲げ応力による圧縮力を受けるため、圧縮方向と直交する方向にコンクリートが膨らむ）が問題となる。したがって、せん断耐力の向上にしか寄与しないリング状補強筋だけでは、柱際の開口部に対しては十分な補強を行うことができない。これに対して、コの字型補強筋とリング型補強筋とを組み合わせて用いる本発明の補強方法によれば、梁の柱際に開口部を設けた場合に生じる上記▲１▼から▲３▼の問題に対して、いずれも有効であるため、柱際の開口部に対しても十分な補強を行うことができる。
【００１７】
請求項６に記載の梁の開口部の補強方法の発明は、請求項５において、前記コの字型補強筋が前記足部の両端に抜け止め作用部を備えたものであることを特徴とする。この特徴によれば、鉄筋または鉄骨鉄筋コンクリート造梁における開口部の補強において、上記した請求項３と同様の作用効果が得られる。
【００１８】
請求項７に記載の梁の開口部の補強方法の発明は、請求項６において、前記コの字型補強筋の抜け止め作用部がフック形状であることを特徴とする。この特徴によれば、鉄筋または鉄骨鉄筋コンクリート造梁における開口部の補強において、上記した請求項４と同様の作用効果が得られる。
【００１９】
【発明の実施の形態】
以下、図面を参照しながら本発明の実施の形態を説明する。
図１は、開口部６１を有する梁５１において、リング型補強筋３１とコの字型補強筋１１を主筋２１とせん断補強筋２３とを含む鉄筋組立体４１の開口部６１の周囲に配筋した状態を説明する図面であり、また、図２は図１を上から見た状態を説明する図面である。なお、現実の鉄筋組立体４１中の各鉄筋は交差部等において結束されているが、原則として図示を省略する。また、コンクリートを打設した梁５１表面は仮想線により示す。
【００２０】
本発明に使用されるコの字型補強筋１１としては、例えば、前記した図８に示すものを用いることができる。ここで、コの字型補強筋１１の鉄筋の直径は、梁５１や開口部６１の大きさ、要求される強度等に応じて選択でき、通常は１０ｍｍ以上とすることが好ましい。コの字型補強筋１１の基部１３は、コの字型補強筋１１によって拘束される二本以上の主筋の間隔に応じた長さとすることができる。足部１５は、鉄筋組立体４１中に挿入した場合に、互いに向き合う上側と下側のコの字型補強筋１１同士が開口部６１の側部で交差できるような長さとする必要がある。開口部６１の左右側部において、上下に対向する二つのコの字型補強筋１１の足部１５同士が交差するような長さにすることにより、開口部６１周囲のせん断破壊に対する耐力を著しく向上させることができる。特に、せん断耐力向上の点では、上下に対向する二つのコの字型補強筋１１の足部１５同士の交差部位から、コの字型補強筋１１の先端部までの長さ（図１におけるＬ1）を、１０ｄ（ここでｄは、鉄筋の直径を示す）以上に設定することが好ましく、１５ｄ以上にすることがより好ましい。なお、足部１５の長さの上限は、梁５１の大きさに基づいて設定されることになる。
【００２１】
また、本発明に使用されるリング型補強筋３１としては、例えば、前記した図７に示すものを用いることができる。図７では、外周筋３３および内周筋３５は、八角もしくは四角形状に形成されているが、これに限らず円環形状のものも使用できる。また、同様の機能を有するものとして、例えば一本の鉄筋をスパイラル状に巻回したものも実用化されており、かかる形状のものも、本発明におけるリング型補強筋として使用できる。
【００２２】
図１および図２では、コの字型補強筋１１は基部１３において３本の主筋２１と直交し、足部１５の間に主筋２１を拘束するように鉄筋組立体４１中に斜めに挿入されている。上下のコの字型補強筋１１の足部１５は、開口部６１の左右側方でそれぞれ交差され、鉄筋組立体４１中（充填コンクリート中）に足部１５の先端が突き出るように配筋されている。斜めに挿入されるコの字型補強筋１１の配筋角度（図２中、αで示す）は、開口部６１の水平軸線に対し、６０〜７０度程度とすることが好ましい。
【００２３】
図１中、開口部６１の両側には、２ないし３本の開口際せん断補強筋２５が、主筋２１を囲うように直交して配備されている。コの字型補強筋１１は、主筋２１および開口際せん断補強筋２５と、それぞれの交差部位で結束され、固定されている。図２から判るように、コの字型補強筋１１は、鉄筋組立体４１の上部（または下部）において、水平方向に並行して配設された４本の主筋２１のうち、片側から３本の主筋２１を跨ぐようにして挿入されており、同方向に隣接して挿入されるコの字型補強筋１１は、逆側から３本の主筋２１を跨ぐように挿入されている。主筋２１が３本以上である場合には、このようにコの字型補強筋１１を挿入する主筋の位置をずらすことにより、鉄筋組立体４１内部で交差し易くなり、開口部際せん断補強筋２５や反対側から挿入されたコの字型補強筋１１が障害となることなく、コの字型補強筋１１の挿入を容易に行うことができる。
【００２４】
図３は、図４のIII−III線断面における内部の構造を説明する図面であり、鉄筋組立体４１にコの字型補強筋１１を配筋した状態を示している。なお、図６では、説明の便宜上、コの字型補強筋１１の左右への傾斜を誇張して描くとともに、手前位置になる開口際せん断補強筋２５は仮想線により示している。
【００２５】
図３から明らかなように、リング型補強筋３１は開口際せん断補強筋２５ではなく、コの字型補強筋１１に結束されて配筋されている。すなわち、本発明配筋方法では、鉄筋組立体４１中にコの字型補強筋１１を挿入して開口際せん断補強筋２５と結束した後、コの字型補強筋１１の足部１５にリング型補強筋３１を結束して配筋している。つまり、鉄筋組立体４１の外側から、開口際せん断補強筋２５、コの字型補強筋１１（足部１５）、リング型補強筋３１の順に配置される。このようにすることによって、開口際せん断補強筋２５、コの字型補強筋１１、リング型補強筋３１は鉄筋組立体中で互いに干渉することがなく、スムーズに配筋することができる。
【００２６】
本発明配筋方法における、より具体的な配筋手順を図４に示す。まず、鉄筋組立体４１の開口部付近に、主筋２１を拘束するように所定本数の開口際せん断補強筋２５を配筋して主筋２１と結束する［図４（ａ）］。ここで、開口際せん断補強筋２５の隙間からリング型補強筋３１を鉄筋組立体４１の中に入れ、配筋作業の邪魔にならない位置に結束せずに仮置きしておく。
【００２７】
次に、所定本数のコの字型補強筋１１を鉄筋組立体４１の上側および下側から斜めに、かつ足部１５が開口際せん断補強筋２５より内側になるように挿入し、主筋２１および開口際せん断補強筋２５との交差部位を結束して固定する［図４（ｂ）］。この時点では、リング型補強筋３１は開口位置に固定されていないため、コの字型補強筋１１の配筋を妨げることがなく、コの字型補強筋１１をスムーズに配筋することが可能である。
【００２８】
コの字型補強筋１１を配筋した後、鉄筋組立体４１内に挿入しておいたリング型補強筋３１を開口位置にセットして、内側からコの字型補強筋１１の足部１５に結束して配筋する［図４（ｃ）］。この時、リング型補強筋３１とコの字型補強筋１１との結束は、リング型補強筋３１の外周筋３３とコの字型補強筋１１の足部１５との交差部位７１において行うことが好ましい。このように、互いに対称的な位置にある４箇所の交差部位７１で結束を行うことにより、リング型補強筋３１を安定して固定できる上、梁５１の開口部６１にせん断力などが加えられた場合の耐力も向上する。
【００２９】
以上のようにコの字型補強筋１１およびリング型補強筋３１を配筋することによって、開口部６１周囲のせん断耐力を著しく向上させることができる。また、コの字型補強筋１１の基部１３から両足部１５にかけてのコの字形状部分で主筋４１を拘束して主筋４１の座屈を防止するとともに、開口部６１周囲のコンクリートを拘束して、当該部分のコンクリートのはらみ出しを防止することも可能になる。
【００３０】
図５は、本発明に使用可能なコの字型補強筋の別の態様を示す図面であり、足部１５の先端に抜け止め作用部１７を備えたコの字型補強筋１１'を示すものである。このように、足部１５の先端に抜け止め作用部１７を設けたコの字型補強筋１１'を用いることにより、コンクリート内での定着性が増し、より一層せん断耐力を向上させ得る。図５のコの字型補強筋１１'では、足部１５の鉄筋の先端部をステッキの把持部のようにＵ字形に折り返すことによってフック形状の抜け止め作用部１７を形成しており、このような形状にすると、製造が容易である上、鉄筋組立体４１中への配筋の障害にもなることはない。もっとも、抜け止め作用部１７の形状としては、充填コンクリート中でアンカーとして機能する形状であれば図５の形状に限らない。
【００３１】
図６は、図５のコの字型補強筋１１'をリング型補強筋３１と組み合わせて開口部の補強を行った状態を示す図面である。コの字型補強筋１１'を用いることにより、抜け止め作用部１７のアンカー作用によって、開口部６１の補強効果を一層向上させることができる。図６は、コの字型補強筋１１'を用いる以外は図１と同じであるので、同一の構成には同一の符号を付して説明を省略する。
【００３２】
以上述べたように、コの字型補強筋１１（１１'）およびリング型補強筋を組み合わせて開口部６１の補強を行うことによって、開口部６１を有する梁５１のせん断強度と変形性能とを同時に向上させることができるので、靭性能が要求される梁５１の柱間際にも開口を設けることが可能になる。具体的には、図１２に示すように、柱５３からの開口部６１までの距離（図１２中、Ｌ２で示す）を自由に設定することができ、設計上の自由度を大幅に向上させることができる。従って、鉄筋コンクリート造建物または鉄骨鉄筋コンクリート造建物において、設備用ダクト等のための開口部６１を梁端のヒンジ領域にも設けることが可能になるので、設備配管を隠すための室内の下がり天井部分の面積を小さくでき、豊かな居住空間が得られるとともに、住宅等の建築物の質を向上させることができる。なお、開口部６１の補強以外の梁５１の施工は、常法により実施できる。
【００３３】
【発明の効果】
本発明配筋方法によれば、コの字型補強筋とリング型補強筋とを用いて梁の開口部を補強する際に、開口際せん断補強筋の内側にコの字型補強筋の足部を挿入して配筋した後に、リング型補強筋をコの字型補強筋よりさらに内側に配筋することにより、リング型補強筋がコの字型補強筋の足部の挿入を妨げることがなく、またコの字型補強筋の足部同士が接触することもないため、配筋作業が容易になる。また、本発明の配筋方法で補強された梁の開口部は、耐力、靭性能ともに十分なものである。
【図面の簡単な説明】
【図１】  本発明配筋方法により開口部補強筋を鉄筋組立体に配筋した状態を説明する図面。
【図２】  図１を上方から見た状態を説明する図面。
【図３】  図１のIII−III線断面から見た内部構造を説明する図面。
【図４】  本発明による開口部補強筋の配筋手順を説明する図面であり、（ａ）、（ｂ）、（ｃ）の順番で配筋する。
【図５】本発明に使用可能なコの字型補強筋の一例を示す図面。
【図６】  本発明配筋方法により開口部補強筋を鉄筋組立体に配筋した状態を説明する図面。
【図７】本発明に使用可能なリング型補強筋の一例を示す図面。
【図８】本発明に使用可能なコの字型補強筋の一例を示す図面。
【図９】鉄筋組立体中の配筋状態を説明するための模式図。
【図１０】鉄筋組立体中の配筋状態を説明するための模式図。
【図１１】従来の梁における開口部の位置を示す図面。
【図１２】本発明補強方法において可能となる梁の開口部の位置を示す図面。
【符号の説明】
１１  コの字型補強筋
１３  基部
１５  足部
１７  抜け止め作用部
２１  主筋
２３  せん断補強筋
２５  開口部際せん断補強筋
３１  リング型補強筋
３３  外周筋
３５  内周筋
４１  鉄筋組立体
５１  梁
５３  柱
５５  スラブ
５７  天井仕上げ面
６１  開口部
７１  交差部位
【図１】
0003724387.tif 000002
【図２】
0003724387.tif 000003
【図３】
0003724387.tif 000004
【図４】
0003724387.tif 000005
【図５】
0003724387.tif 000006
【図６】
0003724387.tif 000007
【図７】
0003724387.tif 000008
【図８】
0003724387.tif 000009
【図９】
0003724387.tif 000010
【図１０】
0003724387.tif 000011
【図１１】
0003724387.tif 000012
【図１２】
0003724387.tif 000013